(57)【要約】      （修正有）【課題】一般に一体型小型蛍光反射フラットパネルランプに関する。一態様において、一体型小型蛍光反射フラットパネルランプを提供する。【解決手段】一体型小型蛍光反射フラットパネルランプ１００は、筐体１２０と、筐体１２０の上部に配置されたフラットパネルランプ部１５０と、筐体の下部に配置されたランプ回路／安定器１２５と、ねじ式口金１１５と、を含む。【選択図】図３
0003183583.tif 000002
【実用新案登録請求の範囲】
【請求項１】
上部及び下部を有する筐体と、
前記筐体の前記上部内に配置され略フラットな発光面を有する蛍光フラットパネルランプと、を含む一体型小型蛍光反射フラットパネルランプ。
【請求項２】
前記蛍光フラットパネルランプは、外部電極を各端部に有するチャンネルを画定するガラス板を含む請求項１に記載のランプ。
【請求項３】
前記蛍光フラットパネルランプにおける前記チャンネルは、気体と水銀を含む請求項２に記載のランプ。
【請求項４】
前記筐体の下部内に配置され、前記蛍光フラットパネルランプから空間を隔てて分離される、安定器を有する回路基板をさらに含む請求項２に記載のランプ。
【請求項５】
前記回路基板上の前記安定器及び前記蛍光フラットパネルランプにおける前記電極は、ワイヤ及びクリップ配列によって接続される請求項４に記載のランプ。
【請求項６】
前記回路基板は、前記ワイヤ及び前記クリップ配列を通して前記電極に電力を供給するように構成される請求項５に記載のランプ。
【請求項７】
前記回路基板と前記蛍光フラットパネルランプとの間の空間内に配置された断熱材をさらに含む請求項４に記載のランプ。
【請求項８】
前記断熱材は、接着剤によって前記筐体に取り付けられるディスク部材である請求項７に記載のランプ。
【請求項９】
前記蛍光フラットパネルランプは、前記略フラットな発光面から放射された前記光を方向付ける反射コーティングを含む請求項１に記載のランプ。
【請求項１０】
前記筐体の前記下部に取り付けられ、コンセントに取り付け可能に構成される口金をさらに含む請求項１に記載のランプ。
【請求項１１】
前記口金は、差込み口金、バイピン口金又は、ねじ式口金である請求項１０に記載のランプ。
【請求項１２】
第１の部分及び第２の部分を有する筐体と、
前記筐体の前記第１の部分内に配置され略フラットな発光面を有する蛍光フラットパネルランプと、
前記筐体の前記第２の部分に取り付けられ、コンセントに取り付け可能に構成される口金と、を含む一体型フラットパネルランプ。
【請求項１３】
前記筐体の前記第２の部分内に配置され、前記蛍光フラットパネルランプから空間を隔てて分離される回路基板をさらに含む請求項１２に記載のランプ。
【請求項１４】
前記蛍光フラットパネルランプは、外部電極を各端部に有するチャンネルを形成するガラス板を含む請求項１３に記載のランプ。
【請求項１５】
前記回路基板上の安定器及び前記蛍光フラットパネルランプにおける前記電極は、ワイヤによって接続される請求項１４に記載のランプ。
【請求項１６】
前記回路基板と前記蛍光フラットパネルランプとの間の前記空間内に配置された断熱材料をさらに含む請求項１３に記載のランプ。
【請求項１７】
前記断熱材は、前記筐体に取り付けられるディスク部材である請求項１６に記載のランプ。
【請求項１８】
前記口金は、差込み口金、バイピン口金又は、ねじ式口金である請求項１２に記載のランプ。
【考案の詳細な説明】
【技術分野】
【０００１】
本考案の実施形態は、一般にフラットパネルランプに関する。特に、本考案は、小型蛍光反射フラットパネルランプに関する。
【背景技術】
【０００２】
従来式一体型小型蛍光反射ランプは、ランプ筐体に一体化された安定器を有する蛍光ランプのひとつである。従来式小型蛍光反射ランプは、従来白熱電球に用いられていた既存の照明設備に適合するように設計されている。図１は、従来式一体型小型蛍光反射ランプ１０を説明する図である。
従来式一体型小型蛍光反射ランプ１０は、照明設備に適合するように構成されるねじ込み口金１５を含む。従来式一体型小型蛍光反射ランプ１０は、回路基板／安定器２５をさらに含む。安定器２５は、管部４０中を流れる電流を制御し陰極３５を加熱するように構成される。また、従来式一体型小型蛍光反射ランプ１０は、陰極３５に取り付けられた端部を有する管部４０を含む。管部４０は、充填ガス、水銀を含み、蛍光体及び保護コーティングで覆われている。また、従来式一体型小型蛍光反射ランプ１０は、管部４０から従来式一体型小型蛍光反射ランプ１０の正面の外へと放射された光の方向を変える機能を有する反射部５０を含む。
【０００３】
従来式一体型小型蛍光反射ランプ１０は、標準的な蛍光ランプと全く同様に機能する。従来式一体型小型蛍光反射ランプ１０をオンにすると、電流が回路基板／安定器から陰極３５に流れるため、電子が気体を介して管部４０の一端から他端へと移動してしまう。電子によって発生したエネルギーは、管部４０中の水銀の一部を原子からイオンに変化させる。より多くの電子及び電荷を帯びた原子が管部４０を通って動くほど、電子及び電荷を帯びた原子は、気体の水銀原子と衝突する。気体の水銀原子は、衝突によって励起して、水銀原子中の電子を高エネルギーレベルまで上昇させる。そして、電子は、本来のエネルギーレベルに戻る際、管部４０中の蛍光体と反応する光子を放出して可視スペクトルの光を放射する。
【考案の概要】
【考案が解決しようとする課題】
【０００４】
従来式一体型小型蛍光反射ランプ１０には、いくつかの欠点がある。ひとつめの欠点は、管部４０からの光が全方向に放射されてしまい、光６５の方向を従来式一体型小型蛍光反射ランプ１０の前面の外へと変えるために反射体５０に依存することである。このように、有効な光６５は、管部４０から放出された実際の光の一部に限られる（図２参照）。
他の欠点は、内部陰極３５のスイッチサイクル寿命（オン及びオフ）が制限されるため、従来式一体型小型蛍光反射ランプ１０が、頻繁にランプをオン及びオフする結果として早期に故障を起こしてしまうことである。そのため、これらの欠点を克服するランプが必要とされている。
【課題を解決する為の手段】
【０００５】
本考案の実施形態は、一般に蛍光フラットパネルランプに関し、特に一体型小型蛍光反射フラットパネルランプに関する。前記一体型小型蛍光反射フラットパネルランプは、上部及び下部を有する筐体を含む。前記一体型小型蛍光反射フラットパネルランプは、略フラットな発光面を有し前記筐体の前記上部に配置された蛍光フラットパネルランプをさらに含む。
【０００６】
他の実施形態では、一体型フラットパネルランプが提供される。前記一体型フラットパネルランプは、第１の部分及び第２の部分を有する筐体を含む。前記一体型フラットパネルランプは、略フラットな発光面を有し前記筐体の前記第１の部分内に配置される蛍光フラットパネルランプをさらに含む。また、前記蛍光フラットパネルランプは、前記筐体の前記第２の部分に取り付けられコンセントに取り付け可能に構成される口金を含む。
【図面の簡単な説明】
【０００７】
【図１】従来式一体型小型蛍光反射ランプを説明する図である。
【図２】従来式一体型小型蛍光反射ランプから放射された有効な光を説明する図である。
【図３】一体型小型蛍光反射フラットパネルランプの一実施形態を説明する図である。
【図４】一体型小型蛍光反射フラットパネルランプから放射された有効な光を説明する図である。
【考案を実施するための形態】
【０００８】
上述した本考案の特徴を詳細に理解できるように、添付図面を参照しながら実施形態について具体的に説明する。なお、添付図面は、本考案の典型的な実施形態のみを例示するものであり、本考案は、他の有効な同等な実施形態を含むものであり、これらの実施例は本考案の範囲を制限するものではない。
【０００９】
図３は、本考案の一実施形態に係る一体型小型蛍光反射フラットパネルランプ１００を説明する図である。一体型小型蛍光反射フラットパネルランプ１００は、従来式一体型小型蛍光反射ランプ、例えば、ＰＡＲ−３０，ＰＡＲ−３８，ＰＡＲ−４０などと同様のサイズを有する。
本明細書に説明するように、一体型小型蛍光反射フラットパネルランプ１００は、従来式一体型小型蛍光反射ランプ１０に対して、いくつかの注目すべき利点がある。具体的には、一体型小型蛍光反射フラットパネルランプ１００は、従来式一体型小型蛍光反射ランプ１０よりも寿命が長い。さらに、一体型小型蛍光反射フラットパネルランプ１００は、本明細書に説明するように、従来式一体型小型蛍光反射ランプ１０と比較すると、その有効な光１３５の全てを放射する。
【００１０】
図３に示したように、一体型小型蛍光反射フラットパネルランプ１００は、筐体１２０と、蛍光フラットパネルランプ１５０と、ランプ回路／安定器１２５と、を含む。蛍光フラットパネルランプ１５０は、筐体１２０の上部に実装され、安定器１２５は、筐体１２０の下部に配置される。蛍光フラットパネルランプ１５０と安定器１２５との間の空間は、断熱部として機能し、適切な断熱材１３０を用いることでさらに強化される。
一実施形態では、断熱材は、接着剤などの接続材料によって筐体１２０に取り付けられるディスクである。接続材料によりディスクは、筐体１２０内の所定の場所に位置付けられるとともに、ディスク外縁の周りの間隙を満たす。ディスクは、回路基板材料、複合材料、プラスチックなどあらゆる種類の材料から作ることができる。一体型小型蛍光反射フラットパネルランプ１００は、適切なコンセントに取り付けるためのねじ込み口金１１５を備えて構成される。なお、口金１１５は、差し込み型、バイピン型又は当技術分野で公知である他の口金構成など他の口金タイプ又は様式のもので構成されてもよい。
【００１１】
蛍光フラットパネルランプ１５０は、チャンネル１４０を介して接続される１組の外部電極１５５を含む。チャンネル１４０は、略フラットなガラス板と形成ガラス板との間に画定される。ガラス板は、互いに密閉して封止される。チャンネル１４０を画定するガラス板の内面は、蛍光体及び保護コーティングで覆われている。また、チャンネル１４０は、気体と水銀も含む。さらに、チャンネル１４０は、チャンネル１４０の長さを増やすように曲がりくねった形状を有してもよいため、蛍光フラットパネルランプ１５０の発光部が大きくなる。
【００１２】
一体型小型蛍光反射フラットパネルランプ１００は、従来式一体型小型蛍光反射ランプ１０よりも寿命が長い。理由のひとつは、一体型小型蛍光反射フラットパネルランプ１００は、何百万回ものオン／オフを可能とし、内部フィラメントの劣化によるチャンネル１４０の汚染がない外部電極１５５を有することである。
従来式一体型小型蛍光反射ランプ１０では、フィラメント３５の劣化により、管部４０（図１）が汚染される結果、早期故障を招いていた。このように、外部電極１５５及びチャンネル１４０の汚染がないことによって、一体型小型蛍光反射フラットパネルランプ１００は、従来式一体型小型蛍光反射ランプ１０と比較して長寿命が可能となる。
【００１３】
各外部電極１５５は、チャンネル１４０の一端部に形成される。外部電極１５５は、チャンネル１４０の他の部分に対して拡大断面を有する。外部電極１５５は、導電性材料である外部電極コーティングを含んでもよい。図３に示したように、クリップ１７５は、各外部電極１５５に取り付けられる。クリップ１７５は、上部電極及び底部電極を合わせて電気的に接続する。クリップ１７５からランプ回路／安定器１２５へは、ワイヤ１７０が走っている。動作中、交流電力がワイヤ１７０を介してクリップ１７５に印加され、アーク電流がチャンネル１４０を流れる。
【００１４】
電極１５５は、容量的に結合される。この点において、各電極１５５は、ガラスチャンネル１４０の形の誘電体及び放電によって接続される蓄電板に類似している。振動する電圧を外部電極１５５に印加すると、電子が気体を介してチャンネル１４０の一端から他端へと移動してしまう。電子によって発生したエネルギーは、チャンネル１４０中の水銀の一部を液体から気体へと変化させ、不活性ガス原子をイオン化する。より多くの電子及び電荷を帯びた不活性ガスがチャンネル１４０を通って動くほど、電子及び電荷を帯びた不活性ガス原子は、気体の水銀原子と衝突する。
水銀原子は、衝突によって励起することで水銀原子中の電子を高エネルギーレベルまで上昇させてしまう。電子が本来のエネルギーレベルに戻る際、電子は光子を放出する。光子がチャンネル１４０の蛍光体コーティングのリン原子に当たると、蛍光体の電子の一部が高エネルギーレベルまで上昇してしまい、原子が熱を帯びてしまう。蛍光体の電子が本来のレベルに下降して戻る際、可視スペクトラムの光を発する他の光子の形でエネルギーを放出する。
【００１５】
図３では、矢印で示した光１３５は、蛍光フラットパネルランプ１５０の略フラットな発光面１０５から放射される。一体型小型蛍光反射フラットパネルランプ１００は、放射された光１３５の方向性を提供する内部反射コーティングを含む。一体型小型蛍光反射フラットパネルランプ１００の内部反射コーティングは、発光面１０５からの光の発光を強める。このように、一体型小型蛍光反射フラットパネルランプ１００によって生じた略全ての光１３５が、図４に示したように有効な光となる。
【００１６】
図４の一体型小型蛍光反射フラットパネルランプ１００を図２の一体型小型蛍光反射ランプ１０と比較すると、一体型小型蛍光反射フラットパネルランプ１００によって生じた略全ての光１３５は有効な光である一方、一体型小型蛍光反射ランプ１０によって生じた光６５の一部分だけが有効な光であることがはっきりと分かる。
【００１７】
上記は、本考案の実施形態に対するものであるが、本考案の基本的な範囲から逸脱することなく本考案の他のさらなる実施形態を考案することもでき、本考案の範囲は、以下の請求項によって決定されるものである。
【符号の説明】
【００１８】
１００  一体型小型蛍光反射フラットパネルランプ
１０５  発光面
１１５  ねじ込み口金
１２０  筐体
１２５  ランプ回路／安定器
１３０  断熱材
１３５  光
１４０  チャンネル
１５０  蛍光フラットパネルランプ
１５５  外部電極
１７０  ワイヤ
１７５  クリップ
【図１】
0003183583.tif 000003
【図２】
0003183583.tif 000004
【図３】
0003183583.tif 000005
【図４】
0003183583.tif 000006